(57)【特許請求の範囲】
【請求項１】
印刷データに基づいて設定された印刷領域内の、長尺状の用紙の長手方向における所定長さ分の前端領域において印刷ドットの有無を判別するドット判別部と、
前記ドット判別部によりドット「有」と判別された場合に、前記前端領域の外側に隣接する余白領域を設けて印刷を行い、前記ドット判別部によりドット「無」と判別された場合に、前記余白領域を設けることなく印刷を行う印刷部と、
前記ドット判別部によりドット「有」と判別された場合に、前記前端領域に含まれるカット位置において前記用紙を前記長手方向に交差する幅方向にカットし、前記ドット判別部によりドット「無」と判別された場合に、前記前端領域において前記用紙を前記幅方向にカットしないカット部と、を備えたことを特徴とする印刷装置。
【請求項２】
前記ドット判別部は、前記印刷領域内の前記長手方向における所定長さ分の後端領域において、前記印刷ドットの有無を判別し、
前記カット部は、前記後端領域に含まれる前記カット位置において前記用紙を前記幅方向にカットすることを特徴とする請求項１に記載の印刷装置。
【請求項３】
前記カット部は、前記ドット判別部により前記印刷領域の後端領域にドット「有」と判別された場合に、当該後端領域の外側に設けられた前記余白領域の後端をさらにカットすることを特徴する請求項２に記載の印刷装置。
【請求項４】
前記印刷部は、複数の前記印刷データに基づいて印刷する連続印刷を行い、
前記ドット判別部は、前記各印刷データに基づく前記印刷領域内の前記前端領域および前記後端領域について、前記ドットの有無を判別することを特徴する請求項２または３に記載の印刷装置。
【請求項５】
前記印刷部は、前記連続印刷において、前記ドット判別部により隣り合う前記後端領域および前記前端領域についていずれもドット「有」と判別された場合に、当該隣り合う前記後端領域および前記前端領域に隣接する余白領域を共通して設けることを特徴とする請求項４に記載の印刷装置。
【請求項６】
前記ドット判別部によりドット「無」と判別された場合に、前記前端領域より外側部分のデータを、前記印刷データから消去する印刷データ編集部をさらに備えたことを特徴とする請求項１に記載の印刷装置。
【請求項７】
印刷装置が、
印刷データに基づいて設定された印刷領域内の、長尺状の用紙の長手方向における所定長さ分の前端領域において印刷ドットの有無を判別するドット判別ステップと、
前記ドット判別ステップにおいてドット「有」と判別された場合に、前記前端領域の外側に隣接する余白領域を設けて印刷を行い、前記ドット判別ステップにおいてドット「無」と判別された場合に、前記余白領域を設けることなく印刷を行う印刷ステップと、
前記ドット判別ステップにおいてドット「有」と判別された場合に、前記前端領域に含まれるカット位置において前記用紙を前記長手方向に交差する幅方向にカットし、前記ドット判別ステップにおいてドット「無」と判別された場合に、前記前端領域において前記用紙を前記幅方向にカットしないステップと、
を実行することを特徴とする印刷装置の制御方法。
【発明の詳細な説明】
【技術分野】
【０００１】
本発明は、長尺状の用紙に対して少なくとも用紙長手方向においてフチ無し印刷を実行可能な印刷装置および印刷装置の制御方法に関するものである。
【背景技術】
【０００２】
従来、この種の印刷装置は、一般的に用紙の所望の印刷領域からはみ出して印刷を行い、その後のカット処理によって、はみ出し部分を所望の印刷領域から切り離すカット処理を行う（例えば、特許文献１参照）。特許文献１に記載の印刷装置は、この種のカット処理として、先ず、用紙の長手方向後端に印刷されたはみ出し部分と所望の印刷領域との境界をカットする。次に、次回の印刷に備えて、用紙上に残されたはみ出し部分を含む領域をカットする。このカット処理において当該印刷装置は、用紙サイズと印刷する画像サイズとから後端部のはみ出し量を求め、このはみ出し量を考慮して、２つのカット位置を決定する。なお、当該印刷装置は、前端については、用紙外にはみ出して印刷することで、フチ無し印刷を実現している。
【先行技術文献】
【特許文献】
【０００３】
【特許文献１】特開２００３−３４１１６１号公報
【発明の概要】
【発明が解決しようとする課題】
【０００４】
上記の印刷装置では、次回の印刷に備えて、はみ出し部分を含む領域のカットを実行する、いわゆる後カット処理を行っている。このような、後カット処理は、必ずラベルの他にごみとなる用紙片を発生させる。しかし、印刷領域のうち、はみ出し部分とされる領域に、実際には印刷ドットが存在していなかった場合、発生させる必要のない用紙片を発生させることになり、用紙を無駄に消費する。
【０００５】
本発明は、上記の点に鑑み、用紙長手方向におけるフチ無し印刷において、用紙の無駄な消費を抑えることのできる印刷装置および印刷装置の制御方法を提供することを課題とする。
【課題を解決するための手段】
【０００６】
本発明の印刷装置は、印刷データに基づいて設定された印刷領域内の、長尺状の用紙の長手方向における所定長さ分の前端領域において印刷ドットの有無を判別するドット判別部と、ドット判別部によりドット「有」と判別された場合に、前端領域の外側に隣接する余白領域を設けて印刷を行い、ドット判別部によりドット「無」と判別された場合に、余白領域を設けることなく印刷を行う印刷部と、ドット判別部によりドット「有」と判別された場合に、前端領域に含まれるカット位置において用紙を長手方向に交差する幅方向にカットし、ドット判別部によりドット「無」と判別された場合に、前端領域において用紙を幅方向にカットしないカット部と、を備えたことを特徴とする。
【０００７】
本発明の印刷装置の制御方法は、印刷装置が、印刷データに基づいて設定された印刷領域内の、長尺状の用紙の長手方向における所定長さ分の前端領域において印刷ドットの有無を判別するドット判別ステップと、ドット判別ステップにおいてドット「有」と判別された場合に、前端領域の外側に隣接する余白領域を設けて印刷を行い、ドット判別ステップにおいてドット「無」と判別された場合に、余白領域を設けることなく印刷を行う印刷ステップと、ドット判別ステップにおいてドット「有」と判別された場合に、前端領域に含まれるカット位置において用紙を長手方向に交差する幅方向にカットし、ドット判別ステップにおいてドット「無」と判別された場合に、前端領域において用紙を幅方向にカットしないステップと、を実行することを特徴とする。
【０００８】
これらの構成によれば、印刷領域の前端領域におけるカット位置を含む領域に、印刷ドットが存在している場合にのみ、前端領域の外側に隣接して余白領域を設けるため、実際に所望の領域からはみ出す印刷ドットが存在する場合にのみ用紙の不要な領域を発生させる。つまり、実際に所望の領域からはみ出す印刷ドットが存在しない場合には、用紙の不要な領域を発生させないため、フチ無し印刷において、用紙の無駄な消費を抑えることができる。なお、実際に印刷ドットを有する場合、前端領域に隣接して余白領域を設けることで、確実に印刷データの前端から用紙に印刷できるため、用紙外への印刷により装置内を汚すことがない。
【０００９】
この場合、ドット判別部は、印刷領域内の長手方向における所定長さ分の後端領域において、印刷ドットの有無を判別し、カット部は、後端領域に含まれるカット位置において用紙を幅方向にカットすることが好ましい。
【００１０】
この場合、カット部は、ドット判別部により印刷領域の後端領域にドット「有」と判別された場合に、当該後端領域の外側に設けられた余白領域の後端をさらにカットすることが好ましい。
【００１１】
これら構成によれば、印刷領域の後端部に実際に所望の領域からはみ出す印刷ドットが存在する場合にのみ、ゴミとなる用紙片を発生させることができる。
【００１２】
この場合、印刷部は、複数の印刷データに基づいて印刷する連続印刷を行い、ドット判別部は、各印刷データに基づく印刷領域内の前端領域および後端領域について、ドットの有無を判別することが好ましい。
【００１３】
この場合、印刷部は、連続印刷において、ドット判別部により隣り合う後端領域および前端領域についていずれもドット「有」と判別された場合に、当該隣り合う後端領域および前端領域に隣接する余白領域を共通して設けることが好ましい。
【００１４】
これらの構成によれば、連続印刷において、用紙の不要領域となる余白領域を共通化することで、無駄な用紙の消費を抑えることができる。
【００１５】
この場合、ドット判別部によりドット「無」と判別された場合に、前端領域より外側部分のデータを、印刷データから消去する印刷データ編集部をさらに備えたことが好ましい。
【００１６】
この構成によれば、ドット判別部によりドット「無」と判別された場合、前端領域において、カット位置が用紙の前端に一致するためカットの必要がない。
【図面の簡単な説明】
【００１７】
【図１】本発明の一実施形態にかかるテープ印刷装置の外観斜視図である。
【図２】テープ印刷装置の制御構成を示したブロック図である。
【図３】通常印刷の単印刷において設定される印刷領域および作成されるラベルを模式的に示した図（ａ）、および連続印刷において設定される印刷領域および作成されるラベルを模式的に示した図（ｂ）である。
【図４】印刷領域における印刷ドットの有無を判別する判別対象領域を示した図である。
【図５】フチ無し印刷の単印刷において、ドット「有」と判別された場合に設定される印刷領域および作成されるラベルを模式的に示した図（ａ）、およびドット「無」と判別された場合に設定される印刷領域および作成されるラベルを模式的に示した図（ｂ）である。
【図６】フチ無し印刷の単印刷において、前端判別対象領域にドット「有」と判別された場合に設定される印刷領域および作成されるラベルを模式的に示した図（ａ）、および後端判別対象領域にドット「有」と判別された場合に設定される印刷領域および作成されるラベルを模式的に示した図（ｂ）である。
【図７】フチ無し印刷の連続印刷において、ドット「有」と判別された場合に設定される印刷領域および作成されるラベルを模式的に示した図（ａ）、およびドット「無」と判別された場合に設定される印刷領域および作成されるラベルを模式的に示した図（ｂ）である。
【図８】フチ無し印刷の連続印刷において、前端判別対象領域にドット「有」と判別された場合に設定される印刷領域および作成されるラベルを模式的に示した図（ａ）、および後端判別対象領域にドット「有」と判別された場合に設定される印刷領域および作成されるラベルを模式的に示した図（ｂ）である。
【図９】印刷処理を示したフローチャートである。
【発明を実施するための形態】
【００１８】
以下、添付の図面を参照し、本発明の一実施形態にかかる印刷装置および印刷装置の制御方法について説明する。なお、本実施形態では、本発明を、テープ（用紙）に対して印刷およびカットを行ってラベルを作成するテープ印刷装置に適用して説明する。また、このテープ印刷装置は、作成されたラベルの印刷面に余白を設ける「通常印刷」と、作成されたラベルの印刷面に余白を設けない「フチ無し印刷」と、を実行可能である。
【００１９】
図１は、本実施形態に係るテープ印刷装置１の開閉蓋２１を開いた状態の外観斜視図である。図示のようにテープ印刷装置１は、装置ケース２により外郭が形成され、装置ケース２の前部上面には各種入力キーを備えたキーボード３が配置されると共に、後部上面には、その左部に開閉蓋２１が取り付けられ、その右部には表示画面４１が配設されている。
【００２０】
開閉蓋２１の内側にはテープカートリッジＴＣを装着するためのカートリッジ装着部６が窪入形成されており、テープカートリッジＴＣは、開閉蓋２１を開放した状態でカートリッジ装着部６に着脱可能に装着される。また、開閉蓋２１にはこれを閉じた状態でテープカートリッジＴＣの装着／非装着を視認するための覗き窓２１ａが形成されている。
【００２１】
キーボード３には、文字キー群３ａ、および各種動作モード等を指定するための機能キー群３ｂが配列されている。文字キー群３ａは、ＪＩＳ配列に基づいたフルキー構成であり、操作するキー数の増加を抑えるためのシフトキーを備えるなど、一般のワードプロセッサー等と同様である。また、機能キー群３ｂには、［カーソル］キー、［選択］キー、［削除］キー、［印刷］キー、［連続］キー、［書式設定］キー、および［環境設定］キーなどが含まれる。
【００２２】
［カーソル］キーは、上下左右キー（［↑］，［↓］，［←］，［→］）から成り、カーソル移動やスクロール操作を行うためのキーである。当該、［カーソル］キーの他、［選択］キーや［削除］キーは、情報入力時および各種設定時に用いられるキーである。［印刷］キーは、印刷の実行を指示するためのキーである。
【００２３】
［連続］キーは、同一のラベルを、複数枚印刷する連続印刷を行うためのキーである。本実施形態では、当該［連続］キーの押下により、連続印刷の設定を行い得るようになっている。なお、［連続］キーの押下により、数字等の部分だけが異なる複数のラベルを連続して印刷する連番印刷を行う構成としてもよい。
【００２４】
［書式設定］キーは、印刷データの編集に関する各種設定を行うためのキーである。本実施形態では、当該［書式設定］キーの押下により、余白設定を行い得るようになっている。余白設定とは、作成する単一のラベルの両端に設ける余白（以下、ラベル余白Ｃと称す）の長さを決めるものである。すなわち、作成されるラベルは、ユーザーが編集したラベル画像Ｐと、当該ラベル画像Ｐのテープ長方向両端に設けられるラベル余白Ｃと、を合わせた長さとなる（図３参照）。なお、本実施形態の余白設定では、［書式設定］キーの押下操作により、「余白無し（ラベル余白Ｃ：０ｍｍ）」、「極少（ラベル余白Ｃ：１ｍｍ）」、「少なめ（ラベル余白Ｃ：９ｍｍ）」、「ふつう（ラベル余白Ｃ：１２ｍｍ）」および「多め（ラベル余白Ｃ：１８ｍｍ）」のうちのいずれかが選択できるようになっている。そして、このうち「余白無し（ラベル余白Ｃ：０ｍｍ）」が選択された場合、テープ印刷装置１は、ラベルの印刷面に余白を設けない「フチ無し印刷」を実行する（後に詳述する）。また、本実施形態では、このうちの「極少（ラベル余白Ｃ：１ｍｍ）」が選択された場合、テープ印刷装置１は、ラベル画像Ｐの前端の外側に設けたラベル余白Ｃの前端をカットする。これは、ラベル余白Ｃの長さ（１ｍｍ）がテープ印刷装置１のカッタ−ヘッド間の距離よりも短いにも拘らず、テープ印刷装置１がテープＴの逆送り機能を備えていないためである。
【００２５】
［環境設定］キーは、各種環境設定を行うためのキーである。本実施形態では、当該［環境設定］キーの押下により、カット方法の設定を行い得るようになっている。このカット方法の設定は、カット位置において、フルカットを実行するかハーフカットを実行するかを選択するものである。
【００２６】
表示画面４１は、液晶ディスプレーであり、ユーザーがキーボード３を用いて入力した入力情報に基づく編集結果、および当該編集結果に基づいて生成された印刷データ等を確認したりする際に用いられる。
【００２７】
装置ケース２の左側部には、カートリッジ装着部６と外部とを連通するテープ排出口２２が形成され、このテープ排出口２２には、不図示のテープ搬送機構により送り出したテープ（テープ状部材）Ｔを切断するためのテープカッター２３が臨んでいる。そして、テープ排出口２２から印刷済みのテープＴが所定長さだけ送り出され、送りを一旦停止させた状態で、この印刷済みのテープＴがテープカッター２３により切断されて、短冊状のラベルを作成する。
【００２８】
一方、カートリッジ装着部６には、ヘッドカバー６１ａ内にサーマルタイプの印刷ヘッド７が内蔵されたヘッドユニット６１と、印刷ヘッド７に対峙するプラテン駆動軸６２と、後述のインクリボンＲを巻き取る巻き取り駆動軸６３と、後述のテープリール１７の位置決め突起６４とを備えている。また、カートリッジ装着部６の下側には、テープ搬送機構となるプラテン駆動軸６２および巻き取り駆動軸６３を回転させるテープ送りモーター２６（図２参照）が内蔵されている。
【００２９】
テープカートリッジＴＣは、カートリッジケース５１内部の上部中央部に、一定の幅（４ｍｍ〜４８ｍｍ程度）のテープＴを巻回したテープリール１７と、右下部にインクリボンＲを巻回したリボンリール１９とを収容して構成されており、テープＴとインクリボンＲは同じ幅で構成されている。また、テープリール１７の左下部には前記ヘッドユニット６１を覆うヘッドカバー６１ａが差し込まれるための貫通孔５５が形成されている。さらに、貫通孔５５に差し込まれたヘッドユニット６１と、プラテン駆動軸６２に嵌合されて回転駆動するプラテンローラー５３とは、テープＴとインクリボンＲとが重なる部分に対応して配置されている。一方、リボンリール１９に近接してリボン巻き取りリール５４が配置され、リボンリール１９から繰り出されたインクリボンＲは、ヘッドカバー６１ａを周回するように、リボン巻き取りリール５４に巻き取られるようになっている。つまり、貫通孔５５の周壁のリボン走行路を経由して、リボン巻き取りリール５４に巻き取られるようになっている。
【００３０】
テープカートリッジＴＣがカートリッジ装着部６に装着されると、ヘッドカバー６１ａに貫通孔５５が、位置決め突起６４にテープリール１７の中心孔が、巻き取り駆動軸６３にリボン巻き取りリール５４の中心孔がそれぞれ差し込まれ、テープＴおよびインクリボンＲを挟み込んで印刷ヘッド７がプラテンローラー５３に当接して印刷が可能になる。その後、ユーザーが表示画面４１の編集結果を確認しながらキーボード３により所望のテキスト（文字、数字、記号、簡易図形等のキャラクター）や画像（以下、ラベル画像Ｐという）を入力し、［印刷］キーの押下によって印刷が指示されると（通常印刷の場合）、テープ印刷装置１は、テープ送りモーター２６によりテープカートリッジＴＣからテープＴを繰り出し、印刷ヘッド７の発熱素子を選択的に発熱させる印字動作によりテープＴに所望の印刷を行う。テープＴの印刷済み部分はテープ排出口２２から随時外部に送り出され、印刷を完了すると、テープ送りモーター２６により、ラベル余白Ｃ分を含むテープ長さの位置までテープＴの送りを行い停止する。その後、カッターモーター２５（フルカッターモーター３３または、ハーフカッターモーター３４、図２参照）により、テープカッター２３（フルカッター３１またはハーフカッター３２）を駆動し、テープＴをその幅方向に切断する。
【００３１】
なお、請求項における「印刷データ」とは、入力された所望のテキスト（文字、数字、記号、簡易図形等のキャラクター）や画像の編集結果および余白設定に基づく情報を指し、「印刷領域」とは、ラベル画像Ｐおよびラベル余白Ｃから構成される（図３参照）。
【００３２】
一方、テープＴは、裏面に粘着剤層が形成された記録テープＴａと、この粘着剤層により記録テープＴａに貼り付けられた剥離テープＴｂとから構成されている。そして、テープＴは、記録テープＴａを外側にし、且つ剥離テープＴｂを内側にしてロール状に巻回されてカートリッジケース５１内に収容されている。また、テープＴは、テープ種別（テープ幅、テープの地色、地模様、材質など）が異なる複数種のものが用意されており、各カートリッジケース５１には、このうち１種類のテープＴ（およびインクリボンＲ）が収容されている。また、カートリッジケース５１の裏面にはテープカートリッジＴＣの種別を特定する複数の孔（図示省略）が設けられている。また、複数の孔に対応してカートリッジ装着部６には、これらを検出するテープ識別センサー（マイクロスイッチ等）２７（図２参照）が、複数設けられており、このテープ識別センサー２７により複数の孔の状態を検出することで、テープ種別を判別できるようになっている。
【００３３】
次に、図２の制御ブロック図を参照し、テープ印刷装置１の制御構成について説明する。テープ印刷装置１は、ＣＰＵ（Central  Processing  Unit）８１、ＲＡＭ（Random  Access  Memory）８２、ＲＯＭ（Read  Only  Memory）８３、表示画面４１、キーボード３、カッターモーター２５、テープカッター２３、テープ送りモーター２６、印刷ヘッド７およびテープ識別センサー２７を備えている。これらのうち、ＲＡＭ８２およびＲＯＭ８３は、ＣＰＵ８１とバス８５を介して接続され、その他の構成要素はＣＰＵ８１と直接接続されている。
【００３４】
ＣＰＵ８１は、中央処理装置であり、請求項における「ドット判別部」および「印刷データ編集部」の主要部を為す。ＲＡＭ８２は、ＣＰＵ８１と直接接続されており、ＣＰＵ８１が各種制御を行う際のワークエリアとして用いられる。ＲＯＭ８３は、ＣＰＵ８１が各種制御を行うための制御プログラムおよび制御情報を記憶している。制御プログラムとしては、具体的に、印刷領域において印刷・カット処理を行うための印刷・カット処理プログラム、フチ無し印刷の場合に印刷領域内の所定領域において印刷ドットの有無を判別するドット有無判別プログラム等を記憶している（図示省略）。
【００３５】
表示画面４１は、編集結果や印刷レイアウトを表示するための表示部として機能する。キーボード３は、ユーザーが情報を入力するための入力部、編集処理を行うための編集部、各種設定を行うための設定部、などとして機能する。
【００３６】
カッターモーター２５は、テープカッター２３と接続され、切断部（カット部）として機能する。テープカッター２３は、テープＴをフルカットするフルカッター３１およびテープＴをハーフカットするハーフカッター３２を有している。またカッターモーター２５は、フルカッター３１を駆動するフルカッターモーター３３、ハーフカッター３２を駆動するハーフカッターモーター３４を有している。なお、ハーフカットとは、テープＴのうち記録テープＴａのみを切断するもので、ハーフカット実施後のテープＴは、切断された記録テープＴａのテープ片が未切断の剥離テープＴｂに貼り付けられた状態となる。
【００３７】
また、テープ送りモーター２６および印刷ヘッド７は、テープＴを搬送しながら当該テープＴ上に印刷を行う印刷部として機能する。また、上記のとおり、印刷ヘッド７およびテープ識別センサー２７は、カートリッジ装着部６に設けられ、テープ識別センサー２７は、テープカートリッジＴＣに収容されたテープＴの種別を検出する。ＣＰＵ８１は、このテープ識別センサー２７の検出結果に基づいて（テープ材質や幅等に基づいて）、テキストとして入力可能な行数および文字数の制限、切断可能か否かの判別、などを行う。そして、印刷指示に応じて、印刷ヘッド７、カッターモーター２５、テープ送りモーター２６の駆動制御を行う。
【００３８】
次に、図３ないし図８を参照し、本実施形態の通常印刷およびフチ無し印刷について、詳細に説明する。図３は、通常印刷において設定される印刷領域、カット位置、作成されるラベルを模式的に示した図である。同図（ａ）に示すように、通常印刷において１回の印刷でラベルを１枚作成する単印刷が実行される場合、ラベル画像Ｐの前端および後端の外側に、上記の余白設定に基づくラベル余白Ｃが設けられ、ラベル画像Ｐおよび２つのラベル余白Ｃを含めた領域が印刷領域Ａに設定される。そして、カット位置は、印刷領域Ａの後端位置に設定される。また、同図（ｂ）に示すように、通常印刷において１回の印刷で同一のラベルを複数枚（図中では２枚の場合を示す）印刷する連続印刷が実行される場合、上記と同様の印刷領域Ａが２枚分設定される。テープ印刷装置１は、印刷データに基づいて印刷を行い、印刷領域Ａの後端をカットする（通常印刷・カット工程）。図示のように、本印刷によって、余白（フチ）を有するラベルが印刷枚数分作成される。
【００３９】
ここで、図４を参照し、フチ無し印刷において実施される印刷ドットの有無の判別について説明する。フチ無し印刷の場合、余白設定が「余白無し（ラベル余白Ｃ：０ｍｍ）」であるため、ラベル画像Ｐの領域が印刷領域Ａに設定される。この印刷領域Ａの前端位置および後端位置からそれぞれ６ｍｍ分内側の位置までの領域を、印刷ドットの有無を判別する判別対象領域Ｄと設定する。なお、フチ無し印刷においては、印刷領域Ａの前端位置および後端位置からそれぞれ３ｍｍ分内側の位置にカット位置が設定されるため、判別対象領域Ｄは推定カット位置の両側にそれぞれ３ｍｍ分の領域を設けて構成されている。なお、この判別対象領域Ｄのうち、カット位置より外側の部分を実際のラベルとなる部分からはみ出すはみ出し領域Ｅとする。なお、前端位置側の判別対象領域Ｄを前端判別対象領域Ｄ１（前端領域）とし、後端位置側の判別対象領域Ｄを後端判別対象領域Ｄ２（後半領域）とする。また、前端位置側のはみ出し領域Ｅを前端はみ出し領域Ｅ１とし、後端位置側のはみ出し領域Ｅを後端はみ出し領域Ｅ２とする。また、本実施形態における所定の長さ（６ｍｍおよび３ｍｍ）は、任意である。
【００４０】
テープ印刷装置１は、フチ無し印刷実行時、印刷データを参照し、この判別対象領域Ｄ（Ｄ１，Ｄ２）において印刷ドットが存在するか否かを判別する（ドット判別部）。２つの判別対象領域Ｄ（Ｄ１，Ｄ２）のうちすくなくとも一方において印刷ドットが１ドットも存在していなかった場合（ドット「無」）、印刷データから、ドット「無」と判別された判別対象領域Ｄからはみ見出し領域Ｅ（Ｅ１および／またはＥ２）におけるデータを消去する（印刷データ編集部）。そして、このように編集された印刷データに基づいて、フチ無し印刷を実行する。一方、２つの判別対象領域Ｄ（Ｄ１，Ｄ２）のいずれにおいても印刷ドットが１ドットでも存在していた場合（ドット「有」）、印刷データを編集せずにフチ無し印刷を実行する。なお、この印刷ドットの有無の判別は、所定ドット数を閾値として、判別対象領域内Ｄに存在する印刷ドット数が当該所定ドット数を超えるか否かで判別してもよい。
【００４１】
図５および図６は、フチ無し印刷の単印刷において設定される印刷領域、カット位置、作成されるラベルを模式的に示した図である。図５（ａ−１）は、前端判別対象領域Ｄ１および後端判別対象領域Ｄ２のいずれにおいてもドット「有」と判別された場合を示している。この場合、印刷領域Ａの前端および後端の外側にそれぞれ余白領域Ｂ（前端余白領域Ｂ１および後端余白領域Ｂ２）が設けられる。この余白領域Ｂの長さは、装置内のテープカッター２３から排出口２２までの距離を超える長さとする。これは、作成されたラベル以外にごみとして排出されるラベル片が、装置内に残ってしまうことを防止するためである。一方、カット位置は、印刷領域Ａの前端位置および後端位置から３ｍｍ分内側の位置、および後端余白領域Ｂ２の後端位置の３箇所に設定される。
【００４２】
テープ印刷装置１は、印刷領域Ａの前端の外側に前端余白領域Ｂ１を設けて印刷を行い、印刷領域Ａの前端位置から３ｍｍ分内側の位置をカットする（前カット工程）。そして、印刷データに基づいて印刷を進め、印刷領域Ａの後端位置から所定の３ｍｍ分内側の位置をカットする（本カット工程）。そして、印刷領域Ａの後端の外側に後端余白領域Ｂ２を設けて印刷を行い、後端余白領域Ｂ２の後端位置をカットする（後カット工程）。図示のように、本印刷によって、余白（フチ）を有さないフチ無しのラベルが作成さる。そしてラベルの他に、前端はみ出し領域Ｅ１におけるラベル画像Ｐが印刷されたラベル片が１枚、後端はみ出し領域Ｅ２におけるラベル画像Ｐが印刷されたラベル片が１枚、合計で２枚のラベル片が装置外に排出される。
【００４３】
図５（ａ−２）は、前端判別対象領域Ｄ１および後端判別対象領域Ｄ２のいずれにおいてもドット「無」と判別された場合を示している。この場合、印刷データから前端はみ出し領域Ｅ１および後端はみ出し領域Ｅ２におけるデータが消去され、印刷領域Ａから前端はみ出し領域Ｅ１および後端はみ出し領域Ｅ２を除いた部分が実際の印刷領域ａとなる。一方、カット位置は、印刷領域ａの後端位置に設定される。テープ印刷装置１は、印刷データから各はみ出し領域Ｅの印刷データを消去し（両端印刷データ編集工程）、当該印刷データに基づいて印刷を行い、印刷領域ａの後端をカットする（通常印刷・カット工程）。図示のように、本印刷によって、フチ無しのラベルが作成され、ラベル以外の不要なラベル片は排出されない。
【００４４】
図６（ａ−３）は、前端判別対象領域Ｄ１のみにおいてドット「有」と判別された場合を示している。この場合、印刷データから前端はみ出し領域Ｅ１におけるデータが消去され、印刷領域Ａから後端はみ出し領域Ｅ２を除いた部分が実際の印刷領域ａとなる。さらに、この印刷領域ａの前端の外側に前端余白領域Ｂ１が設けられる。一方、カット位置は、印刷領域ａの前端から３ｍｍ分内側の位置、および印刷領域ａの後端位置の２箇所に設定される。テープ印刷装置１は、印刷データから後端はみ出し領域Ｅ２の印刷データを消去し（後端印刷データ編集工程）、印刷領域ａの前端の外側に前端余白領域Ｂ１を設けて印刷を行い、印刷領域ａの前端位置から３ｍｍ分内側の位置をカットする（前カット工程）。そして、印刷データに基づいて印刷を進め、印刷領域ａの後端位置をカットする（通常印刷・カット工程）。図示のように、本印刷によって、フチ無しのラベルが作成され、当該ラベルの他に、前端はみ出し領域Ｅ１におけるラベル画像Ｐが印刷されたラベル片が１枚装置外に排出される。
【００４５】
図６（ａ−４）は、後端判別対象領域Ｄ２のみにおいてドット「有」と判別された場合を示している。この場合、印刷データから前端はみ出し領域Ｅ１におけるデータが消去され、印刷領域Ａから前端はみ出し領域Ｅ１を除いた部分が実際の印刷領域ａとなる。さらに、この印刷領域ａの後端の外側に後端余白領域Ｂ２が設けられる。一方、カット位置は、印刷領域ａの後端から３ｍｍ分内側の位置、および後端余白領域Ｂ２の後端位置の２箇所に設定される。テープ印刷装置１は、印刷データから前端はみ出し領域Ｅ１の印刷データを消去し（前端印刷データ編集工程）、当該印刷データに基づいて印刷を進め、印刷領域ａの後端から３ｍｍ分内側の位置をカットする（本カット工程）。そして、印刷領域ａの後端の外側に後端余白領域Ｂ２を設けて印刷を行い、後端余白領域Ｂ２の後端位置をカットする（後カット工程）。図示のように、本印刷によって、フチ無しのラベルが作成され、当該ラベルの他に、後端はみ出し領域Ｅ２におけるラベル画像Ｐが印刷されたラベル片が１枚装置外に排出される。
【００４６】
図７および図８は、フチ無し印刷の連続印刷において設定される印刷領域、カット位置、作成されるラベルを模式的に示した図である。なお、１枚目の印刷データに対応する各領域には（１）を、２枚目の印刷データに対応する各領域には（２）を付して説明する。
【００４７】
図７（ｂ−１）は、前端判別対象領域Ｄ１（Ｄ１（１），Ｄ１（２））および後端判別対象領域Ｄ２（Ｄ２（１），Ｄ２（２））のいずれにおいてもドット「有」と判別された場合を示している。なお、実際には、テープ印刷装置１は、１枚目に対応する前端判別対象領域Ｄ１（１）および後端判別対象領域Ｄ２（１）のみについて印刷ドットの有無を判別する。この場合、印刷領域Ａ（１）の前端および後端の外側にそれぞれ余白領域Ｂ（１）（前端余白領域Ｂ１（１）および後端余白領域Ｂ２（１））が設けられる。同様に、印刷領域Ａ（２）の前端および後端の外側にそれぞれ余白領域Ｂ（２）（前端余白領域Ｂ１（２）および後端余白領域Ｂ２（２））が設けられる。このとき、１枚目の印刷データに対応する後端余白領域Ｂ２（１）と２枚目の印刷データに対応する前端余白領域Ｂ１（２）は、共通化されて設けられる。一方、カット位置は、印刷領域Ａ（１）の前端位置および後端位置から３ｍｍ分内側の位置、印刷領域Ａ（２）の前端位置および後端位置から３ｍｍ分内側の位置、および後端余白領域Ｂ２（２）の後端位置の５箇所に設定される。
【００４８】
テープ印刷装置１は、印刷領域Ａ（１）の前端の外側に前端余白領域Ｂ１（１）を設けて印刷を行い、印刷領域Ａ（１）の前端位置から３ｍｍ分内側の位置をカットする（前カット工程）。そして、印刷データに基づいて印刷を進め、印刷領域Ａ（１）の後端位置から所定の３ｍｍ分内側の位置をカットする（本カット工程）。そして、印刷領域Ａ（１）の後端の外側に後端余白領域Ｂ２（１）を設けて印刷を行い、この後端余白領域Ｂ２（１）を印刷領域Ａ（２）の前端の外側に設けられた前端余白領域Ｂ１（２）として印刷を進め、印刷領域Ａ（２）の前端位置から３ｍｍ分内側の位置をカットする（後カット＋前カット工程）。そして、印刷データに基づいて印刷を進め、印刷領域Ａ（２）の後端から３ｍｍ分内側の位置をカットする（本カット工程）。そして、印刷領域Ａ（２）の後端の外側に後端余白領域Ｂ２（２）を設けて印刷を行い、後端余白領域Ｂ２（２）の後端位置をカットする（後カット工程）。
【００４９】
図７（ｂ−１）に示すように、本印刷によって、フチ無しのラベルが２枚作成される。そしてラベルの他に、前端はみ出し領域Ｅ１（１）におけるラベル画像Ｐが印刷されたラベル片が１枚、後端はみ出し領域Ｅ２（１）および前端はみ出し領域Ｅ１（２）におけるラベル画像Ｐが印刷されたラベル片が１枚、後端はみ出し領域Ｅ２（２）におけるラベル画像Ｐが印刷されたラベル片が１枚、合計で３枚のラベル片が装置外に排出される。
【００５０】
図７（ｂ−２）は、前端判別対象領域Ｄ１（Ｄ１（１），Ｄ１（２））および後端判別対象領域Ｄ２（Ｄ２（１），Ｄ２（２））のいずれにおいてもドット「無」と判別された場合を示している。この場合、印刷データから前端はみ出し領域Ｅ１（Ｅ１（１），Ｅ１（２））および後端はみ出し領域Ｅ２（Ｅ２（１），Ｅ２（２））におけるデータが消去され、印刷領域Ａ（１）から前端はみ出し領域Ｅ１（１）および後端はみ出し領域Ｅ２（１）を除いた部分が実際の印刷領域ａ（１）となる。同様に、印刷領域Ａ（２）から前端はみ出し領域Ｅ１（２）および後端はみ出し領域Ｅ２（２）を除いた部分が実際の印刷領域ａ（２）となる。一方、カット位置は、各印刷領域ａの後端位置に設定される。テープ印刷装置１は、印刷データから各はみ出し領域Ｅの印刷データを消去し（両端印刷データ編集工程）、当該印刷データに基づいて印刷を行い、各印刷領域ａの後端をカットする（通常印刷・カット工程）。図示のように、本印刷によって、フチ無しのラベルが２枚作成され、ラベル以外の不要なラベル片は排出されない。
【００５１】
図８（ｂ−３）は、前端判別対象領域Ｄ１（Ｄ１（１），Ｄ１（２））のみにおいてドット「有」と判別された場合を示している。この場合、印刷データから後端はみ出し領域Ｅ２（Ｅ２（１），Ｅ２（２））におけるデータが消去され、印刷領域Ａ（１）から後端はみ出し領域Ｅ２（１）を除いた部分が実際の印刷領域ａ（１）となる。同様に、印刷領域Ａ（２）から後端はみ出し領域Ｅ２（２）を除いた部分が実際の印刷領域ａ（２）となる。さらに、各印刷領域ａの前端の外側にそれぞれ前端余白領域Ｂ１（Ｂ１（１），Ｂ１（２））が設けられる。なお、２枚目の印刷データに対応する前端余白領域Ｂ１（２）は、１枚目の印刷データに対応する印刷領域ａ（１）の後端から設けられる。一方、カット位置は、各印刷領域ａの前端から３ｍｍ分内側の位置、および各印刷領域ａの後端位置の４箇所に設定される。
【００５２】
テープ印刷装置１は、印刷データから後端はみ出し領域Ｅ２（Ｅ２（１），Ｅ２（２））の印刷データを消去し（後端印刷データ編集工程）、１枚目の印刷データに基づいて前カット工程および通常印刷・カット工程を実行する。その後、同様に２枚目の印刷データ基づいて前カット工程および通常印刷・カット工程を実行する。図８（ｂ−３）に示すように、本印刷によって、フチ無しのラベルが２枚作成され、当該ラベルの他に、前端はみ出し領域Ｅ１（１）におけるラベル画像Ｐが印刷されたラベル片が１枚、前端はみ出し領域Ｅ１（２）におけるラベル画像Ｐが印刷されたラベル片が１枚、合計で２枚のラベル片が装置外に排出される。
【００５３】
図８（ｂ−４）は、後端判別対象領域Ｄ２（Ｄ２（１），Ｄ２（２））のみにおいてドット「有」と判別された場合を示している。この場合、印刷データから前端はみ出し領域Ｅ１（Ｅ１（１），Ｅ１（２））におけるデータが消去され、印刷領域Ａ（１）から前端はみ出し領域Ｅ１（１）を除いた部分が実際の印刷領域ａ（１）となる。同様に、印刷領域Ａ（２）から前端はみ出し領域Ｅ１（２）を除いた部分が実際の印刷領域ａ（２）となる。さらに、各印刷領域ａの後端の外側にそれぞれ後端余白領域Ｂ２（Ｂ２（１），Ｂ２（２））が設けられる。なお、２枚目の印刷データに対応する印刷領域ａ（２）は、１枚目の印刷データに対応する後端余白領域Ｂ２（１）の後端の外側に隣接して設けられる。一方、カット位置は、各印刷領域ａの後端から３ｍｍ分内側の位置、および各後端余白領域Ｂ２の後端位置の２箇所に設定される。
【００５４】
テープ印刷装置１は、印刷データから前端はみ出し領域Ｅ１（Ｅ１（１），Ｅ１（２））の印刷データを消去し（前端印刷データ編集工程）、１枚目の印刷データに基づいて本カット工程および後カット工程を実行する。その後、同様に２枚目の印刷データ基づいて本カット工程および後カット工程を実行する。図８（ｂ−４）に示すように、本印刷によって、フチ無しの２ラベルが作成され、当該ラベルの他に、後端はみ出し領域Ｅ２（１）におけるラベル画像Ｐが印刷されたラベル片が１枚、後端はみ出し領域Ｅ２（２）におけるラベル画像Ｐが印刷されたラベル片が１枚、合計２枚のラベル片が装置外に排出される。
【００５５】
次に、図９のフローチャートを参照し、テープ印刷装置１の印刷処理について説明する。なお、ここでは、１回の印刷で１枚のラベルを印刷する単印刷を実行する場合について説明する。テープ印刷装置１は、［印刷］キーの押下信号を受信すると（Ｓ０１）、余白設定が「余白無し」以外であった場合（Ｓ０２：Ｎｏ（通常印刷））、上記した通常印刷・カット工程を実行する（Ｓ０３）。
【００５６】
一方、余白設定が「余白無し」であった場合（Ｓ０２：Ｙｅｓ（フチ無し印刷））であって、いずれの判別対象領域Ｄにおいてもドット「有」と判別された場合（Ｓ０４：ＹｅｓおよびＳ０５：両判別対象領域）、上記の前カット工程（Ｓ０６）、本カット工程（Ｓ０７）、および後カット工程（Ｓ０８）を実行する。また、前端判別対象領域Ｄ１においてのみドット「有」と判別された場合（Ｓ０４：ＹｅｓおよびＳ０５：前端判別対象領域）、上記の後端印刷データ編集工程（Ｓ０９）、前カット工程（Ｓ１０）、および通常印刷・カット工程（Ｓ１１）を実行する。また、後端判別対象領域Ｄ２においてのみドット「有」と判別された場合、（Ｓ０４：ＹｅｓおよびＳ０５：後端判別対象領域）、上記の前端印刷データ編集工程（Ｓ１２）、本カット工程（Ｓ１３）、および後カット工程（Ｓ１４）を実行する。
【００５７】
一方、余白設定が「余白無し」であった場合（Ｓ０２：Ｙｅｓ（フチ無し印刷））であって、いずれの判別対象領域Ｄにおいてもドット「無」と判別された場合（Ｓ０４：Ｎｏ）、上記の両端印刷データ編集工程（Ｓ１５）、および通常印刷・カット工程（Ｓ１６）を実行する。
【００５８】
上記したテープ印刷装置１によれば、フチ無し印刷において、カット位置付近に印刷ドットが存在している場合にのみ、当該カット位置の外側に余白領域を設けて印刷を行い、カット位置においてテープＴをカットする。よって、実際に作成されるラベルの印刷面からはみ出して印刷される場合にのみ、ごみとなるラベル片を発生させる。すなわち、フチ無し印刷において、実際にラベルの印刷面からはみ出して印刷が行われない場合は、余白領域を設けず、不要なラベル片を発生させない。よって、フチ無し印刷においてテープＴの無駄な消費を抑えることができる。また、本実施形態では、実際にラベルの印刷面からはみ出して印刷が行われない場合、はみ出し領域Ｅにおけるデータを印刷データから消去するため、当該印刷の他の印刷に影響を与えない。すなわち、前端はみ出し領域Ｅを消去することによって、印刷領域ａの前端の外側に不要領域を発生させず、後端はみ出し領域Ｅを消去することによって、印刷領域ａ後端の外側に不要領域を発生させることがない。
【００５９】
また、上記したテープ印刷装置１によれば、フチ無し印刷において、後カット工程におけるカット位置を印刷領域Ａからの距離に基づいて決定しているため、簡単な方法で、カット位置を決定することができる。また、印刷領域Ａの後端の外側に設けた余白領域Ｂの後端のカットするため、確実に印刷領域Ａの外側で後カットを実行することができる。
【００６０】
なお、各印刷において設定されたカット位置で実行されるテープＴの切断は、ハーフカットでもよいしフルカットでもよい。この場合、ラベル間を切断するカット（通常印刷・カット工程における切断、本カット工程および／または後カット工程における切断）は、フルカットであることが好ましい。なお、切断をハーフカットにすることにより、ゴミと成るラベル片が台紙（剥離テープＴｂ）に貼り付けられた状態となり、ラベル片が独立して装置内に取り残されてしまうことがないため、ラベル片（余白領域）を可能な限り短くすることができる。よって、テープＴの消費を節約することができる。なお、ハーフカットにおいて実行される切断は、テープＴを構成する記録テープＴａおよび剥離テープＴｂの両方をカットするミシン目カットでもよい。
【００６１】
なお、連続印刷は、本実施形態では、同じ印刷データを連続印刷する構成としたが、異なる印刷データを連続して印刷する構成でもよい。この場合、テープ印刷装置１は、各印刷データについて判別対象領域Ｄに印刷ドットが存在するか否かを判別する必要がある。
【００６２】
また、後端判別対象領域Ｄ２にドットが存在している場合に、モードによって後カット工程を行うか否かを選択できるようにしても良い。この場合、後カット工程を行わないモードにおいては、前の印刷がフチ無し印刷であって後端判別対象領域Ｄ２にドットが存在していた場合、通常印刷においても前カット工程を行うことが望ましい。これによれば、連続印刷でなくても、複数回の単印刷においてフチ無し印刷が連続した場合、前回のフチ無し印刷（後端判別対象領域Ｄ２においてドット「有」）で発生するラベル片と、次回のフチ無し印刷（前端判別対象領域Ｄ１においてドット「有」）で発生するラベル片と、を共通化させ、テープＴの消費を抑えることができる。
【００６３】
また、本発明には、上記のサーマルタイプの印刷装置に限らす、例えば、インクジェットタイプの印刷装置にも適応可能である。また、印刷に供される用紙は、テープＴに限らず、長尺状のものであればよい。また、印刷データをＰＣ等の外部装置で生成し、テープ印刷装置１が当該印刷データを取得する構成としてもよい。この場合、余白の長さ設定も外部装置側で行うこととなる。
【００６４】
また、上記した、テープ印刷装置１の各構成要素をプログラムとして提供することも可能である。また、そのプログラムを記憶媒体（図示省略）に格納して提供することも可能である。記録媒体としては、ＣＤ−ＲＯＭ、フラッシュＲＯＭ、メモリカード（コンパクトフラッシュ（登録商標）、スマートメディア、メモリースティック等）、コンパクトディスク、光磁気ディスク、デジタルバーサタイルディスクおよびフレキシブルディスク等を利用することができる。
【００６５】
また、上述した実施例によらず、テープ印刷装置１の装置構成や処理工程等について、本発明の要旨を逸脱しない範囲で、適宜変更も可能である。
【符号の説明】
【００６６】
１：テープ印刷装置  ７：印刷ヘッド  ２３：テープカッター  ２５：カッターモーター  ８１：ＣＰＵ  Ａ，ａ：印刷領域  Ｂ：余白領域  Ｄ：判別対象領域  Ｄ１：前端判別対象領域  Ｄ２：後端判別対象領域  Ｔ：テープ
【図１】
0005753415.tif 000002
【図２】
0005753415.tif 000003
【図３】
0005753415.tif 000004
【図４】
0005753415.tif 000005
【図５】
0005753415.tif 000006
【図６】
0005753415.tif 000007
【図７】
0005753415.tif 000008
【図８】
0005753415.tif 000009
【図９】
0005753415.tif 000010